(57)【要約】      （修正有）【課題】タブ形式の複数の画面にそれぞれ配置される複数のアイコンの配置状態を効率的にカスタマイズできるようにする。【解決手段】タブ画面５０は、個別領域４２を有し、さらに、共通領域４１を設定可能である。共通領域４１が設定された共通タブ画面の共通領域４１に対してユーザ操作に応じてアイコンの新規登録、編集、削除等の処理が行われると、他の各共通タブ画面の共通領域４１に対しても同じ処理が行われる。共通タブ画面において共通領域４１の設定が解除されると、当該共通タブ画面の個別領域４２内のアイコンと、ユーザにより選択された他の共通タブ画面の個別領域４２内のアイコンとが、同じ１つのタブ画面にまとめて配置される。【選択図】図４
2019067108.tif 000002
【特許請求の範囲】
【請求項１】
表示部と、
入力部と、
制御部と、
を備えた表示制御装置であって、
前記制御部は、
タブ形式の複数のタブ画面のうち選択状態にある１つのタブ画面を前記表示部に表示させるタブ画面表示処理であって、前記複数のタブ画面はそれぞれ、複数のアイコンが配置されるアイコン配置領域を有する、前記タブ画面表示処理と、
前記タブ画面毎に、前記入力部を介して入力される、前記アイコン配置領域内における共通領域の設定を有効又は無効にする設定操作に応じて、前記共通領域の設定を有効又は無効にする共通領域設定処理であって、前記共通領域の設定が有効にされている前記タブ画面を共通タブ画面として、前記共通領域は、各前記共通タブ画面における各前記共通領域内に対してはそれぞれ同じアイコンが配置されるように構成されている、前記共通領域設定処理と、
前記表示部に表示されている前記共通タブ画面を第１共通タブ画面として、前記第１共通タブ画面の前記共通領域の設定を無効に変更する前記設定操作がなされた場合に、前記第１共通タブ画面とは別の前記共通タブ画面である第２共通タブ画面を前記入力部を介して選択させる他タブ選択処理と、
前記共通タブ画面の前記アイコン配置領域における前記共通領域とは異なる領域を個別領域として、前記第１共通タブ画面の前記個別領域内の前記アイコンと前記第２共通タブ画面の前記個別領域内の前記アイコンとを、同じ１つの前記タブ画面であるまとめ先タブ画面の前記アイコン配置領域に配置させる、まとめ配置処理と、
を実行するように構成された表示制御装置。
【請求項２】
請求項１に記載の表示制御装置であって、
前記制御部は、さらに、
前記まとめ先タブ画面を前記入力部を介して選択させるまとめ先選択処理、
を実行し、
前記まとめ配置処理は、前記第１共通タブ画面の前記個別領域内の前記アイコンと前記第２共通タブ画面の前記個別領域内の前記アイコンとを、前記まとめ先選択処理により選択された前記まとめ先タブ画面の前記アイコン配置領域に配置させる、
表示制御装置。
【請求項３】
請求項１又は請求項２に記載の表示制御装置であって、
前記他タブ選択処理は、前記入力部を介して、前記第１共通タブ画面を他の前記共通タブ画面に変更させることが可能に構成されている、
表示制御装置。
【請求項４】
請求項１〜請求項３のいずれか１項に記載の表示制御装置であって、
前記制御部は、さらに、
前記第１共通タブ画面の前記個別領域内の前記アイコンと前記第２共通タブ画面の前記個別領域内の前記アイコンとの、前記まとめ先タブ画面における配置位置を、前記入力部を介して指定させる配置位置指定処理、
を実行し、
前記まとめ配置処理は、前記第１共通タブ画面の前記個別領域内の前記アイコンと前記第２共通タブ画面の前記個別領域内の前記アイコンとを、それぞれ、前記まとめ先タブ画面に対し、前記配置位置指定処理によって指定された前記配置位置に配置させる、
表示制御装置。
【請求項５】
請求項１〜請求項４のいずれか１項に記載の表示制御装置であって、
前記まとめ配置処理は、前記第１共通タブ画面の前記個別領域内における前記アイコンの配置状態、及び前記第２共通タブ画面の前記個別領域内における前記アイコンの配置状態を、それぞれ、前記まとめ先タブ画面においても維持させる、
表示制御装置。
【請求項６】
請求項１〜請求項５のいずれか１項に記載の表示制御装置であって、
前記共通領域設定処理は、前記まとめ配置処理によって前記第２共通タブ画面の前記個別領域内の前記アイコンが前記まとめ先タブ画面に配置された場合、前記第２共通タブ画面の前記共通領域の設定を無効に変更する、
表示制御装置。
【請求項７】
請求項１〜請求項６のいずれか１項に記載の表示制御装置であって、
前記制御部は、さらに、
前記第１共通タブ画面及び前記第２共通タブ画面のうち前記まとめ先タブ画面ではない少なくとも一方について、前記アイコン配置領域に配置されている前記アイコンを削除するか否かを、前記入力部を介して指定させる削除指定処理と、
前記削除指定処理により指定された内容に応じて前記アイコンを削除又は維持するアイコン削除処理と、
を実行する表示制御装置。
【請求項８】
請求項１〜請求項７のいずれか１項に記載の表示制御装置であって、
前記制御部は、さらに、
前記第１共通タブ画面の前記共通領域の設定を無効に変更する前記設定操作がなされた場合に、前記第２共通タブ画面の選択の要否を前記入力部を介して選択させる要否選択処理、
を実行し、
前記他タブ選択処理は、前記要否選択処理により前記第２共通タブ画面の選択が要求された場合に、前記第２共通タブ画面を前記入力部を介して選択させる、
表示制御装置。
【請求項９】
表示部を備えた表示制御装置で用いられる表示制御方法であって、
タブ形式の複数のタブ画面のうち選択状態にある１つのタブ画面を前記表示部に表示させるタブ画面表示ステップであって、前記複数のタブ画面はそれぞれ、複数のアイコンが配置されるアイコン配置領域を有する、前記タブ画面表示ステップと、
前記タブ画面毎に、前記アイコン配置領域内における共通領域の設定を有効又は無効にする設定操作に応じて、前記共通領域の設定を有効又は無効にする共通領域設定ステップであって、前記共通領域の設定が有効にされている前記タブ画面を共通タブ画面として、前記共通領域は、各前記共通タブ画面における各前記共通領域内に対してはそれぞれ同じアイコンが配置されるように構成されている、前記共通領域設定ステップと、
前記表示部に表示されている前記共通タブ画面を第１共通タブ画面として、前記第１共通タブ画面の前記共通領域の設定を無効に変更する前記設定操作がなされた場合に、前記第１共通タブ画面とは別の前記共通タブ画面である第２共通タブ画面を選択させる他タブ選択ステップと、
前記第１共通タブ画面の前記アイコン配置領域における前記共通領域とは異なる領域に配置されている前記アイコンと、前記第２共通タブ画面の前記アイコン配置領域における前記共通領域とは異なる領域に配置されている前記アイコンとを、同じ１つの前記タブ画面であるまとめ先タブ画面の前記アイコン配置領域に配置させる、まとめ配置ステップと、
を有する表示制御方法。
【請求項１０】
表示部と、
入力部と、
制御部と、
を備えた表示制御装置における前記制御部に実行させる表示制御プログラムであって、
前記制御部に、
タブ形式の複数のタブ画面のうち選択状態にある１つのタブ画面を前記表示部に表示させるタブ画面表示処理であって、前記複数のタブ画面はそれぞれ、複数のアイコンが配置されるアイコン配置領域を有する、前記タブ画面表示処理と、
前記タブ画面毎に、前記入力部を介して入力される、前記アイコン配置領域内における共通領域の設定を有効又は無効にする設定操作に応じて、前記共通領域の設定を有効又は無効にする共通領域設定処理であって、前記共通領域の設定が有効にされている前記タブ画面を共通タブ画面として、前記共通領域は、各前記共通タブ画面における各前記共通領域内に対してはそれぞれ同じアイコンが配置されるように構成されている、前記共通領域設定処理と、
前記表示部に表示されている前記共通タブ画面を第１共通タブ画面として、前記第１共通タブ画面の前記共通領域の設定を無効に変更する前記設定操作がなされた場合に、前記第１共通タブ画面とは別の前記共通タブ画面である第２共通タブ画面を前記入力部を介して選択させる他タブ選択処理と、
前記共通タブ画面の前記アイコン配置領域における前記共通領域とは異なる領域を個別領域として、前記第１共通タブ画面の前記個別領域内の前記アイコンと前記第２共通タブ画面の前記個別領域内の前記アイコンとを、同じ１つの前記タブ画面であるまとめ先タブ画面の前記アイコン配置領域に配置させる、まとめ配置処理と、
を実行させる表示制御プログラム。
【発明の詳細な説明】
【技術分野】
【０００１】
本発明は、表示部に表示される画面の内容を制御する技術に関する。
【背景技術】
【０００２】
特許文献１には、タッチパネルにタブ形式の待機画面を表示させ、タブを切り替えることによって処理実行用メニューの表示内容を切り替え可能な処理実行装置が記載されている。
【０００３】
特許文献１に記載の処理実行装置では、タブ毎に、特定の処理が登録されたボタンが複数配列され、ユーザによりいずれかのボタンが選択された場合、そのボタンに登録された処理が実行される。
【先行技術文献】
【特許文献】
【０００４】
【特許文献１】特開２０１６−１５７２３２号公報
【発明の概要】
【発明が解決しようとする課題】
【０００５】
タブ形式の画面においては、各タブに配置される、特定の処理が登録された複数のアイコンの配置状態を、ユーザが効率的にカスタマイズできると便利である。
本発明は上記課題に鑑みなされたものであり、タブ形式の複数の画面にそれぞれ配置される複数のアイコンの配置状態を効率的にカスタマイズできるようにすることを目的とする。
【課題を解決するための手段】
【０００６】
本発明の表示制御装置は、表示部と、入力部と、制御部とを備える。制御部は、タブ画面表示処理と、共通領域設定処理と、他タブ選択処理と、まとめ配置処理とを実行する。
タブ画面表示処理は、タブ形式の複数のタブ画面のうち選択状態にある１つのタブ画面を表示部に表示させる処理である。前記複数のタブ画面はそれぞれ、複数のアイコンが配置されるアイコン配置領域を有する。
【０００７】
共通領域設定処理は、タブ画面毎に、入力部を介して入力される、アイコン配置領域内における共通領域の設定を有効又は無効にする設定操作に応じて、共通領域の設定を有効又は無効にする処理である。ここで、共通領域の設定が有効にされているタブ画面を共通タブ画面と称する。共通領域は、各共通タブ画面における各共通領域内に対してはそれぞれ同じアイコンが配置されるように構成されている。
【０００８】
他タブ選択処理は、表示部に表示されている共通タブ画面を第１共通タブ画面として、第１共通タブ画面の共通領域の設定を無効に変更する設定操作がなされた場合に、第１共通タブ画面とは別の共通タブ画面である第２共通タブ画面を入力部を介して選択させる処理である。
【０００９】
まとめ配置処理は、共通タブ画面のアイコン配置領域における共通領域とは異なる領域を個別領域として、第１共通タブ画面の個別領域内のアイコンと第２共通タブ画面の個別領域内のアイコンとを、同じ１つのタブ画面であるまとめ先タブ画面のアイコン配置領域に配置させる処理である。
【００１０】
このような構成の表示制御装置によれば、２つの共通タブ画面のそれぞれにおける個別領域内のアイコンを、簡単な操作で、同じ１つのタブ画面にまとめて配置させることができる。そのため、複数のタブ画面にそれぞれ配置されている複数のアイコンの配置状態を効率的にカスタマイズすることができる。
【図面の簡単な説明】
【００１１】
【図１】実施形態の画像処理装置の構成を示すブロック図である。
【図２】実施形態の画像処理装置の操作パネルを示す説明図である。
【図３】実施形態の待機画面を示す説明図である。
【図４】実施形態の待機編集画面におけるアイコンの登録例を示す説明図である。
【図５】実施形態の画面編集処理の一部のフローチャートである。
【図６】実施形態の画面編集処理の他の一部（図５の続き）のフローチャートである。
【図７】共通領域の設定を解除する場合の画面遷移例を示す説明図である。
【図８】共通領域の設定を解除する場合の画面遷移例（図７の続き）を示す説明図である。
【図９】共通領域の設定を解除する場合の画面遷移例（図８の続き）を示す説明図である。
【発明を実施するための形態】
【００１２】
以下、本発明の実施形態について、図面を参照しながら説明する。
［実施形態］
（１）画像処理装置の構成
図１に示す本実施形態の画像処理装置１０は、原稿の画像を読み取ってその読み取った画像の画像データを生成するスキャン機能、記録用紙への画像の印刷を行う印刷機能、スキャン機能により読み取った画像を印刷機能により記録用紙に印刷するコピー機能、ファクシミリデータの送受信を行うファクス機能など、規定の複数の機能を備えている。
【００１３】
画像処理装置１０は、図１に示すように、制御部１１と、記憶部１２と、表示部１３と、入力部１４と、読取部１５と、印刷部１６と、メディアインタフェース部１７と、第１通信部１８と、第２通信部１９とを備え、これらがバス２０を介して相互に接続されている。なお、メディアインタフェース部のことを、以下「メディアＩ／Ｆ」と略称する。
【００１４】
制御部１１はＣＰＵを有する。記憶部１２は、例えばＲＯＭ、ＲＡＭ、ＮＶＲＡＭ、フラッシュメモリなどの半導体メモリを有する。即ち、画像処理装置１０は、ＣＰＵ及び半導体メモリを含むマイクロコンピュータを備えている。
【００１５】
制御部１１は、非遷移的実体的記録媒体に格納されたプログラムを実行することにより各種機能を実現する。本実施形態では、記憶部１２が、プログラムを格納した非遷移的実体的記録媒体に該当する。なお、制御部１１により実現される各種機能は、プログラムの実行によって実現することに限るものではなく、その一部又は全部について、一つあるいは複数のハードウェアを用いて実現してもよい。
【００１６】
記憶部１２には、後述する待機画面２５（図２参照）を含む各種画面のデータが記憶されている。また、記憶部１２には、後述する図５〜図６の画面編集処理のプログラムも記憶されている。上記各機能を実行するためのプログラムは、画面編集処理のプログラムの一部として含まれていてもよいし、画面編集処理のプログラムとは別のプログラムであってもよい。
【００１７】
表示部１３は、例えば液晶ディスプレイや有機ＥＬディスプレイなどの、画像を表示可
能な表示デバイスを有する。
入力部１４は、各種入力操作を受け付けるための入力用デバイスを有する。入力部１４が有する入力用デバイスには、図２に示す電源ボタン５、テンキー６、戻りボタン７、ホームボタン８、停止ボタン９、及びタッチパネル１４ａが含まれる。タッチパネル１４ａは、表示部１３の表示デバイスにおける画像が表示される画像表示領域に配置される。
【００１８】
タッチパネル１４ａは、表示部１３の画像表示領域に対する、指示体による接触又は近接による指示操作を検出可能である。即ち、タッチパネル１４ａは、表示部１３の画像表示領域に対して指示体による指示操作が行われている場合に、その指示操作が行われている位置である指示位置を示す位置情報を出力可能に構成されている。本実施形態のタッチパネル１４ａは、指示体により指示操作が行われている間、位置情報を連続的又は周期的に出力するよう構成されている。
【００１９】
なお、タッチパネル１４ａは、指示操作として接触のみ検出可能な構成であってもよいし、近接のみ検出可能な構成であってもよいし、接触及び近接の両方を検出可能な構成であってもよい。
【００２０】
制御部１１は、タッチパネル１４ａから出力される位置情報を取得し、その取得した位置情報に基づいて、指示体の指示操作の有無、指示操作が行われている場合における指示位置、指示操作が行われている場合における指示体による少なくとも一種類の特定の操作を検出することができる。
【００２１】
制御部１１が検出可能な特定の操作としては、少なくとも、タップ操作がある。タップ操作は、指示体により指示操作が行われた後、同じ位置で指示体が離れる操作である。指示操作を行うことが可能な指示体の具体的態様は種々考えられ、例えば指先であってもよいし、スタイラスペンなどの特定の指示用デバイスであってもよい。
【００２２】
読取部１５は、イメージセンサを備え、原稿の画像を読み取り、読み取った画像の画像データを生成する。印刷部１６は、インクジェット技術や電子写真技術の印刷機構を有し、シート状の記録用紙に画像を印刷することが可能である。
【００２３】
メディアＩ／Ｆ１７は、例えばＵＳＢフラッシュメモリなどの、各種の記憶メディアが装着されるインタフェース部であり、装着された記憶メディアに対するデータの書き込み及び読み出しを制御する。
【００２４】
第１通信部１８は、画像処理装置１０をデータ通信用のネットワークに接続するための通信インタフェースである。第１通信部１８は、例えば、有線ＬＡＮ、無線ＬＡＮ、インターネットなどの各種ネットワークの少なくとも１つに接続可能である。画像処理装置１０は、第１通信部１８を介して、パソコンやスマートフォン、タブレット端末などの各種情報処理装置と有線又は無線にてデータ通信可能であってもよい。また、画像処理装置１０は、第１通信部１８を介してインターネットに接続し、インターネットを介して他の各種サーバや各種情報処理装置などとデータ通信可能であってもよい。
【００２５】
第２通信部１９は、通信回線１５０を通じて外部機器と通信を行うためのインタフェース部である。第２通信部１９に接続される通信回線１５０は、本実施形態では例えば公衆電話網である。ファクス機能におけるファクシミリデータの送受信は、基本的には、第２通信部１９を介して行われる。
【００２６】
（２）操作パネルの構成
画像処理装置１０における、不図示の筐体の一側面には、図２に示す操作パネル３が設
けられている。操作パネル３には、図２に示すように、電源ボタン５と、テンキー６と、戻りボタン７と、ホームボタン８と、停止ボタン９と、表示部１３と、タッチパネル１４ａとが設けられている。なお、図２に示されている表示部１３は、詳しくは、表示部１３が有する表示デバイスにおける画像表示領域を示している。この画像表示領域のほぼ全範囲にタッチパネル１４ａが重畳配置されている。
【００２７】
電源ボタン５は、画像処理装置１０の電源をオン、オフさせるためにユーザにより操作されるハードキーである。電源ボタン５の押下により画像処理装置１０に電源が投入されて画像処理装置１０の動作が開始されると、制御部１１は、特定の初期化処理を行った後、表示部１３に待機画面２５を表示させる。ユーザは、その待機画面２５を起点として各種入力操作を行うことで、表示部１３に表示させる画面を切り替えたり、各種設定を行ったり、各種機能を実行させたりすることができる。
【００２８】
テンキー６は、例えばファクシミリデータの送信先番号を入力するときやコピー機能におけるコピー部数を入力するときなど、主に数字を入力する際にユーザにより操作される、０〜９までの各数字のハードキーを含む複数のハードキーの総称である。
【００２９】
戻りボタン７は、表示部１３の画面を現在表示されている画面の直前に表示されていた画面に戻すためにユーザに操作されるハードキーである。ホームボタン８は、表示部１３に待機画面２５を表示させるためにユーザに操作されるハードキーである。停止ボタン９は、処理中の動作を停止させるためにユーザにより操作されるハードキーである。
【００３０】
（３）待機画面の説明
待機画面２５は、複数のタブを有するタブ形式の画面である。複数のタブにはそれぞれ個別にタブ画面が対応付けられている。待機画面２５には、複数のタブのうち選択状態にされている１つのタブに対応したタブ画面が表示される。待機画面２５を表示させるために必要な各種情報や、待機画面２５に対して入力部１４を介して各種入力操作が行われた場合に実行すべき処理の内容に関する情報などは、記憶部１２に記憶されている。
【００３１】
図２に示すように、待機画面２５には、最大４つのタブが表示される。なお、本実施形態では、タブの総数Ｎｔは、待機画面２５に同時に表示可能なタブの最大数である４よりも多い。図２は、待機画面２５に、第１タブ〜第ＮｔタブのＮｔ個のタブのうち、第１タブ３１、第２タブ３２、第３タブ３３及び第４タブ３４が表示されている例を示している。
【００３２】
各タブには、それぞれ、当該タブの名称が表示される。選択状態にされているタブは、他のタブとは異なる態様で表示される。図２は、タブ名が「ユーザ１」の第１タブ３１が選択状態にされていて、第１タブ３１が他のタブとは異なる態様で表示されている例を示している。
【００３３】
待機画面２５には、第１タブ〜第Ｎｔタブの全Ｎｔ個のタブそれぞれに対応した第１タブ画面〜第Ｎｔタブ画面のうち、選択状態にされている１つのタブに対応したタブ画面が表示される。図２は、選択状態にされている第１タブ３１に対応付けられている第１タブ画面５０が表示されている例を示している。
【００３４】
各タブに対応付けられている各タブ画面は、複数のアイコンが配置された画面である。本実施形態では、１つのタブ画面に８個のアイコンが配置される。即ち、図２に示すように、第１タブ画面５０には、第１アイコン５１〜第８アイコン５８が配置される。各アイコンの具体的種類は、後述するように変更することができる。
【００３５】
各タブ画面に配置される各アイコンには、それぞれ、特定の処理が対応付けられている。ユーザによりいずれかのアイコンがタップされると、そのアイコンに対応付けられている特定の処理が実行される。
【００３６】
待機画面２５のタブ画面に配置可能なアイコンには、大きく分類すると、三種類のアイコンがある。具体的に、機能アイコンと、設定用アイコンと、未登録アイコンがある。機能アイコンは、画像処理装置１０が有する上記規定の複数の機能のうち何れかの機能を実行させるための、その実行対象の機能が登録されたアイコンである。つまり、機能アイコンには、登録されている機能を実現させるための特定の処理が対応付けられている。そして、機能アイコンがタップされると、対応付けられている特定の処理が実行されることによって、登録されている機能が実現される。
【００３７】
設定用アイコンは、各種設定項目を設定するための、その設定対象の特定の項目あるいは複数の項目のリスト等が登録されたアイコンである。つまり、設定用アイコンには、各種設定項目を設定させるための特定の処理が対応付けられている。そして、設定用アイコンがタップされると、対応付けられている特定の処理が実行されることによって、各種設定項目の設定が実現される。
【００３８】
未登録アイコンは、機能及び設定項目等が何ら登録されていないアイコンであり、ユーザによって任意の機能アイコン或いは設定用アイコンを新規に登録することが可能なアイコンである。つまり、未登録アイコンには、任意の機能の機能アイコン或いは任意の設定項目の設定用アイコンを新規に登録させるための、ユーザの入力操作を伴う特定の処理が対応付けられている。そして、未登録アイコンがタップされると、当該未登録アイコンに対応付けられている特定の処理が実行されることによって、機能アイコン或いは設定用アイコンとしての新規登録が実現される。
【００３９】
機能アイコンは、さらに、規定機能アイコンと、ショートカットアイコンとの二種類に分類される。規定機能アイコンは、画像処理装置１０が有するスキャン機能、印刷機能、コピー機能、ファクス機能、ウェブサービス機能、便利ツール機能などの規定の複数の機能のうち何れかを実行させるための、その実行対象の規定の機能が登録されたアイコンである。規定機能アイコンに登録されている各種設定値は、予め決められたデフォルト値である。ただし、そのデフォルト値は、規定機能アイコンをタップして対応機能を実行させる際にユーザが確認、変更することができる。
【００４０】
ショートカットアイコンには、上記規定の複数の機能のうちいずれかをユーザが予め設定した特定の実行条件で実行させるショートカット機能が登録される。
規定機能アイコン及び設定用アイコンの少なくとも一方は、画像処理装置１０の出荷時において、少なくとも１つのタブ画面において少なくとも１つ、予め配置されていてもよい。
【００４１】
ショートカットアイコンは、基本的には、画像処理装置１０の出荷時から予め配置されているアイコンではなく、未登録アイコンに対してユーザが任意に登録操作を行うことによって、その未登録アイコンに代わって配置されるアイコンである。ただし、ショートカットアイコンも、画像処理装置１０の出荷時において、少なくとも１つのタブ画面において少なくとも１つ、予め配置されていてもよい。
【００４２】
規定機能アイコンが、各設定値の初期値が予め決められているのに対し、ショートカットアイコンについては、ユーザ自ら、実行対象の機能、及びその機能をどのような設定値で実行させるか、などについて任意に設定、登録することができる。
【００４３】
なお、未登録アイコンに対しては、任意のショートカット機能を登録してショートカットアイコンとして登録できるほか、任意の機能を登録することにより規定機能アイコンとして登録したり、任意の設定項目を登録することにより設定用アイコンとして登録したりすることもできる。
【００４４】
未登録アイコンが機能アイコン又は設定用アイコンとして登録された場合、当該未登録アイコンが配置されている位置には、当該未登録アイコンに代わって、登録された機能アイコン又は設定用アイコンが配置される。
【００４５】
図２に例示する第１タブ画面５０においては、第１アイコン５１はファクス機能の規定機能アイコンであり、第２アイコン５２はコピー機能の規定機能アイコンであり、第５アイコン５５は設定用アイコンであり、第８アイコン５８はスキャン機能のショートカットアイコンである。第３アイコン５３、第４アイコン５４、第６アイコン５６、第７アイコン５７は未登録アイコンである。
【００４６】
待機画面２５における、タブが表示される領域の両端近傍には、左ボタン２６及び右ボタン２７が表示される。Ｎｔ個のタブの左右方向の配列順は予め決められている。現在表示されている４つのタブよりも左側に他のタブが配列されている場合は、左ボタン２６をタップすることによって、表示対象のタブを右側にスクロールさせることで、現在表示されている４つのタブよりも左側に配列されているタブを表示させることができる。逆に、現在表示されている４つのタブよりも右側に他のタブが配列されている場合は、右ボタン２７をタップすることによって、表示対象のタブを左側にスクロールさせることで、現在表示されている４つのタブよりも右側に配列されているタブを表示させることができる。
【００４７】
現在選択状態にされているタブのタブ画面から、他のタブのタブ画面に切り替えたい場合は、例えば、切り替え先のタブをタップすればよい。現在選択状態のタブ以外のタブをタップすると、そのタップしたタブが選択状態にされて、待機画面２５には、その新たに選択状態にされたタブに対応したタブ画面が表示される。
【００４８】
例えば、図３左上に示されているように、待機画面２５に、第１タブ３１に対応した第１タブ画面５０が表示されているとする。この状態から、例えば、タブ名が「ユーザ２」の第２タブ３２をタップすると、図３右上に示すように、選択状態のタブが第１タブ３１から第２タブ３２に切り替わり、その切り替わり後の第２タブ３２に対応した第２タブ画面６０が表示される。
【００４９】
第２タブ画面６０にも、第１アイコン６１〜第８アイコン６８の８個のアイコンが表示される。第２タブ画面６０において、第１アイコン６１はコピー機能のショートカットアイコンであり、第２アイコン６２はファクス機能のショートカットアイコンである。第３アイコン６３〜第８アイコン６８は未登録アイコンである。
【００５０】
第２タブ３２に対応した第２タブ画面６０が表示されている状態から、例えば、タブ名が「ユーザ１＿１」の第４タブ３４をタップすると、図３下に示すように、選択状態のタブが第２タブ３２から第４タブ３４に切り替わり、その切り替わり後の第４タブ３４に対応した第４タブ画面７０が表示される。
【００５１】
第４タブ画面７０にも、第１アイコン７１〜第８アイコン７８の８個のアイコンが表示される。第４タブ画面７０において、第１アイコン７１はファクス機能の規定機能アイコンであり、第２アイコン７２はコピー機能の規定機能アイコンであり、第５アイコン７５はファクス機能のショートカットアイコンであり、第６アイコン７６及び第８アイコン７８はコピー機能のショートカットアイコンである。第３アイコン７３、第４アイコン７４
及び第７アイコン７７は未登録アイコンである。
【００５２】
（４）タブ画面内に設定される領域の説明
図２及び図３に示すように、各タブ画面には、少なくとも個別領域４２が設定されている。さらに、各タブ画面に対し、個別領域４２とは別の共通領域４１を設定可能である。
【００５３】
ユーザは、タブ画面毎に、共通領域４１の設定を有効又は無効にすることができる。共通領域４１が有効に設定されているタブ画面は、共通領域４１が設定され、共通領域４１と個別領域４２が併存する画面となる。共通領域４１が無効に設定されているタブ画面は、共通領域４１が設定されず、タブ画面全体、即ちアイコンが配置されるアイコン配置領域全体が個別領域４２となる。
【００５４】
図３は、第１タブ画面５０及び第４タブ画面７０は共通領域４１が有効に設定され、第２タブ画面６０は共通領域４１が無効に設定されている例を示している。
本実施形態では、共通領域４１が設定されたタブ画面において、例えば、図３に示すように、８個のアイコンのうち第１アイコン〜第４アイコンが配置される上半分の領域が共通領域４１に設定され、第５アイコン〜第８アイコンが配置される下半分の領域が個別領域４２に設定される。
【００５５】
なお、以下の説明では、共通領域４１が設定されているタブ画面のことを「共通タブ画面」と称し、共通領域が設定されているタブ画面のタブのことを「共通タブ」と称することがある。
【００５６】
共通領域４１に配置されるアイコンは、各共通タブ画面全て同じにされる。つまり、図３の第１タブ画面５０及び第４タブ画面７０に示されているように、タブを切り替えていずれの共通タブ画面を表示させても、共通領域４１に配置されているアイコンは同じである。
【００５７】
本実施形態では、いずれかの共通タブ画面が表示されている状態で、そのタブ画面内の共通領域４１において機能アイコン又は設定用アイコンを新規登録すると、そのアイコンは、現在表示されているタブ画面に配置されるのに加えて、他の各共通タブ画面の共通領域４１における同じ位置に対してもそれぞれ配置される。
【００５８】
また、いずれかの共通タブ画面が表示されている状態で、そのタブ画面内の共通領域４１に配置されているいずれかのアイコンを削除すると、そのアイコンが現在表示されているタブ画面から削除されるのに加えて、他の各共通タブ画面の共通領域４１における同じ位置に配置されている同じ各アイコンもそれぞれ削除される。
【００５９】
また、いずれかの共通タブ画面が表示されている状態で、そのタブ画面内の共通領域４１に配置されているいずれかのアイコンに対する編集操作を行うと、そのアイコンに対する登録内容が編集操作に応じて変更されるのに加えて、他の各共通タブ画面の共通領域４１における同じ位置に配置されている同じ各アイコンに対する登録内容も全く同じように変更される。
【００６０】
つまり、共通タブ画面中の共通領域４１内のアイコンに対する登録、編集、移動、削除等の各操作内容は、現在表示されている共通タブ画面だけでなく他の全ての共通タブ画面における同じ位置のアイコンに対しても同様に反映される。その結果、各共通タブ画面における、共通領域４１内に配列されているアイコンは、全て同じ内容となる。
【００６１】
例えば、図４（ａ）の左側に示す待機編集画面８０が表示された状態、即ち第１タブ画
面５０が表示されている状態で、共通領域４１内の未登録アイコンである第３アイコンに、スキャン機能の規定機能アイコンを登録したとする。この場合、図４（ｂ）に示すように、現在表示されている第１タブ画面５０内の第３アイコンにスキャン機能の規定機能アイコンが登録されるのに加え、第４タブ画面７０を含む他の各共通タブ画面における共通領域４１内の同じ位置の第３アイコンにも、同じスキャン機能の規定機能アイコンが登録される。
【００６２】
一方、タブ画面内の個別領域４２においてアイコンの登録、削除、編集等の各操作を行った場合は、その操作内容は、現在表示されているタブ画面内の対象アイコンに対してのみ反映され、他のタブ画面には反映されない。
【００６３】
（５）管理機能の説明
図２及び図３に示すように、待機画面２５には、管理者ボタン２８が表示される。管理者ボタン２８をタップすると、管理者認証用の認証画面が表示される。その認証画面に対し、パスワード入力などの認証用の所定の入力操作を行うと、認証処理が行われる。認証処理の結果、認証条件が成立した場合は、動作モードが管理者モードとなり、表示部１３に、図４（ａ）に示すような、待機編集画面８０が表示される。
【００６４】
待機編集画面８０は、アイコンの新規登録、アイコンの削除、アイコンの登録内容の編集、アイコンの移動、他のアイコンとの位置の入れ替え、共通領域４１の有効又は無効の設定、などを行うことが可能な画面である。なお、アイコンの削除とは、アイコンに登録されている特定の処理を解除して当該アイコンを未登録アイコンにすることを意味する。
【００６５】
待機編集画面８０には、図４（ａ）に示すように、待機画面２５と同様、複数のタブと、選択状態にされているタブに対応したタブ画面とが表示される。待機編集画面８０に表示される複数のタブ及びタブ画面の内容は、待機画面２５と基本的に同じである。また、タブの選択状態を切り替えることによってタブ画面の内容を切り替えることができることについても、待機画面２５と同様である。
【００６６】
また、待機編集画面８０には、アイコンの移動、他のアイコンとの位置の入れ替え、アイコンの削除などを行うための各種の編集ボタンが配置される。これら編集ボタンを介して各種編集が行われた結果、共通領域４１内のアイコンに変化が生じた場合は、その変化が他の各共通タブ画面の各共通領域４１にも同様に反映される。
【００６７】
さらに、待機編集画面８０には、図４（ａ）に示すように、共通領域４１の設定を有効又は無効にするための、前述の共通領域設定オンボタン８５及び共通領域設定オフボタン８４が表示される。ユーザは、これら各ボタン８４，８５を操作することによって、共通領域４１の設定を有効又は無効のいずれかに任意に切り替えることができる。即ち、共通領域設定オンボタン８５がタップされると、共通領域４１の設定が有効にされる。一方、共通領域設定オフボタン８４がタップされると、共通領域４１の設定が無効にされる。
【００６８】
（６）共通領域設定の無効切り替え時の動作
あるタブ画面において、共通領域設定オフボタン８４の操作によって共通領域４１の設定が有効から無効に切り替えられた場合、当該タブ画面の共通領域４１の設定が無効にされ、当該タブ画面は共通領域４１が存在しない画面、即ちアイコン配置領域全体が個別領域４２の画面になる。
【００６９】
この場合、後述するように、もともと共通領域４１に配置されていたアイコンをどうするか、ユーザが選択することができる。
さらに、当該タブ画面の個別領域４２に配置されていたアイコンを、他の共通タブ画面
の個別領域４２に配置されているアイコンとまとめて１つのタブ画面に配置させること（以下、「個別アイコンまとめ機能」とも称する）ができる。
【００７０】
個別アイコンまとめ機能は、本実施形態では、制御部１１が図５、図６の画面編集処理を実行することによって実現される。
図５、図６の画面編集処理について、適宜、図７〜図９を参照しながら説明する。なお、図５、図６に示す画面編集処理は、動作モードが管理者モードにされた場合に実行される不図示の管理制御処理の中から、特に共通領域４１の設定が有効又は無効に切り替えられた場合に実行される処理を抜粋したものである。
【００７１】
制御部１１は、動作モードが管理者モードに切り替えられた場合、図５、図６の画面編集処理を開始する。制御部１１は、画面編集処理を開始すると、Ｓ１１０で、待機編集画面８０を表示部１３に表示させる。
【００７２】
ここで、表示部１３に例えば図７（ａ）に示す待機編集画面８０が表示されたことを想定して、以下の説明を続ける。図７（ａ）は、図４（ｂ）と同じ状態、即ちタブ名が「ユーザ１」の第１タブ画面５０が表示されていて、共通領域４１の設定が有効にされている例を示している。
【００７３】
なお、図７（ａ）において共通領域設定オフボタン８４の近傍に表示されている、人間の右手を模した画像は、待機編集画面８０に含まれる画像ではなく、待機編集画面８０に対するユーザの操作位置を明示するために付加した補助的な画像である。
【００７４】
Ｓ１２０で、共通領域設定オンボタン８５又は共通領域設定オフボタン８４によって共通領域４１の設定が切り替えられたか否か判断する。共通領域４１の設定が切り替えられていない場合はＳ１１０に戻る。共通領域４１の設定が有効から無効または無効から有効に切り替えられた場合は、Ｓ１３０に移行する。
【００７５】
Ｓ１３０では、共通領域４１の設定が無効に切り替えられたか否か判断する。共通領域４１の設定が無効に切り替えられていない場合、即ち無効から有効に切り替えられた場合は、Ｓ３２０に進む。
【００７６】
Ｓ３２０では、共通領域設定処理を行う。具体的に、現在表示されているタブ画面に対し、共通領域４１を設定する処理を行う。共通領域４１が設定された場合、その共通領域４１には、他の共通タブ画面の共通領域４１内のアイコンと同じアイコンが配置される。Ｓ３２０の処理後はＳ１１０に戻る。
【００７７】
Ｓ１３０で、共通領域４１の設定が無効に切り替えられた場合は、Ｓ１４０で、表示部１３に第１問合せ画面９０（図７（ｂ）参照）を表示させる。例えば図７（ａ）において、ユーザにより共通領域設定オフボタン８４がタップされた場合、図７（ｂ）に示す第１問合せ画面９０が表示される。
【００７８】
第１問合せ画面９０は、個別アイコンまとめ機能を利用するか否か、即ち、共通領域４１の設定が無効にされるタブ画面の個別領域４２内のアイコンを他のいずれかの共通タブ画面の個別領域４２内のアイコンとまとめて同じ１つのタブ画面に配置させるか否か、をユーザに問う画面である。
【００７９】
Ｓ１５０では、第１問合せ画面９０に対するユーザ操作に応じて、個別アイコンまとめ機能を利用するか否かを判断する。第１問合せ画面９０における「いいえ」ボタン９２がタップされた場合は、個別アイコンまとめ機能を利用しないと判断して、Ｓ３３０に進む
。Ｓ３３０では、現在表示されている共通タブ画面の共通領域解除処理を行う。具体的に、現在表示されている共通タブ画面における共通領域４１の設定を無効にする。
【００８０】
Ｓ１５０で、第１問合せ画面９０における「はい」ボタン９１がタップされた場合は、個別アイコンまとめ機能を利用すると判断して、Ｓ１６０に進む。Ｓ１６０では、まとめ元設定画面９５（図７（ｃ）参照）を表示させる。まとめ元設定画面９５は、個別領域４２内のアイコンを同じ１つのタブ画面にまとめたい２つの共通タブ画面をユーザに選択させるための画面である。
【００８１】
図７（ｃ）に示すように、まとめ元設定画面９５には、待機編集画面８０と同様、タブ画面が表示される。また、まとめ元設定画面９５に表示されるタブは、共通領域４１が設定されている共通タブ画面のタブに絞られる。図７（ｃ）は、共通領域４１が設定されていない「ユーザ２」及び「ユーザ３」のタブがタブの配列から削除されて、共通領域４１が設定された他のタブ画面のタブ３５，３６が配列された状態を示している。
【００８２】
さらに、まとめ元設定画面９５においては、タブ画面の上部に、第１設定欄９６と、第２設定欄９７と、配置入替ボタン９８と、ＯＫボタン９９とが表示される。第１設定欄９６には、まとめ元タブ画面１として設定される共通タブ画面のタブ名が表示され、第２設定欄９７には、まとめ元タブ画面２として設定される共通タブ画面のタブ名が表示される。
【００８３】
まとめ元タブ画面１に表示された共通タブ画面における個別領域４２内のアイコンは、後に、まとめ先タブ画面における第１領域に配置される。まとめ元タブ画面２に設定された共通タブ画面における個別領域４２内のアイコンは、後に、まとめ先タブ画面における第２領域に配置される。
【００８４】
Ｓ１７０では、第１設定欄９６に、図７（ｃ）に示すように、まとめ元タブ画面１のタブ名のデフォルト値を表示させる。ここでいうデフォルト値とは、第１問合せ画面９０が表示される直前に表示されていた共通タブ画面、即ち共通領域設定オフボタン８４がタップされたときに表示されていた共通タブ画面のタブ名であり、図７（ａ）の例では「ユーザ１」である。
【００８５】
Ｓ１８０では、第１入設定９６及び第２設定欄９７に対する、まとめ元タブ画面１及びまとめ元タブ画面２の各々の設定入力を受け付ける。
具体的に、まとめ元設定画面９５が表示されたとき、第２設定欄９７には、図７（ｃ）に示すように、まとめ元タブ画面２のタブ名は空欄となっている。これに対し、ユーザは、まとめ元タブ画面２として設定する共通タブ画面を選択できる。具体的に、例えば、まとめ元タブ画面２として設定したい共通タブ画面のタブを押下し、そのままそのタブを第２設定欄９７へドラッグすることで、そのドラッグしたタブの共通タブ画面をまとめ元タブ画面２に設定できる。
【００８６】
また、まとめ元タブ画面１についても、例えば上記のまとめ元タブ画面２の選択方法と同様のドラッグ操作あるいはその他の方法によって、デフォルトの共通タブ画面から別の共通タブ画面に変更することができる。
【００８７】
例えば、図７（ｃ）に例示するように、タブ名が「ユーザ１＿１」の第４タブ３４を、ユーザが、第２設定欄９７へドラッグした場合、図８（ａ）に例示するように、第２設定欄９７に、第４タブ３４のタブ名が表示される。これにより、まとめ元タブ画面２として、第４タブ画面７０が設定される。
【００８８】
まとめ元タブ画面１とまとめ元タブ画面２との設定内容は、配置入替ボタン９８をタップすることによって入れ替えることができる。例えば、図８（ａ）に示す状態において、配置入替ボタン９８がタップされた場合、まとめ元タブ画面１が、タブ名が「ユーザ１＿１」の第４タブ画面７０に替わり、逆に、まとめ元タブ画面２が、タブ名が「ユーザ１」の第１タブ画面５０に替わる。あるいは、第１設定欄９６及び第２設定欄９７のうち何れか一方を他方へドラッグすることによって設定内容を入れ替えることができてもよい。
【００８９】
Ｓ１９０では、まとめ元タブ画面の設定が完了したか否か判断する。具体的には、ＯＫボタン９９がタップされたか否か判断し、ＯＫボタン９９がタップされた場合に完了したと判断する。まとめ元タブ画面の設定が完了していない場合は、Ｓ１８０に戻る。まとめ元タブ画面の設定が完了した場合は、Ｓ２００に進む。
【００９０】
Ｓ２００では、まとめ先設定画面１００を表示させる。図８（ｂ）に、まとめ先設定画面１００の一例を示す。図８（ａ）のまとめ元設定画面においてＯＫボタン９９がタップされると、図８（ｂ）のまとめ先設定画面１００に遷移する。まとめ先設定画面１００は、２つのまとめ元タブ画面の個別領域内アイコンを１つのまとめ先タブ画面にまとめる際におけるその１つのまとめ先タブ画面を設定するための画面である。
【００９１】
図８（ｂ）に示すように、まとめ先設定画面１００には、待機編集画面８０と同様、タブ画面が表示される。なお、タブの選択状態は、直前のまとめ元設定画面９５での選択状態が維持される。
【００９２】
また、まとめ先設定画面１００に表示されるタブは、２つのまとめ元タブ画面の各タブと、アイコンの登録数が一定数以下（例えば登録数が０）のタブ画面のタブである。図８（ｂ）に示されている、「新規１」のタブ３７及び「新規２」のタブ３８は、いずれも、アイコンの登録数が例えば０のタブ画面のタブである。
【００９３】
さらに、まとめ先設定画面１００においては、タブ画面の上部に、第１設定欄１０１と、第２設定欄１０２と、まとめ先設定欄１０３と、まとめ実行ボタン１０５とが表示される。各設定欄１０１，１０２の表示内容及び機能は、基本的に、まとめ元設定画面９５における各設定欄９６，９７と同じである。
【００９４】
まとめ先設定欄１０３には、まとめ先タブ画面のタブ名が表示される。Ｓ２００では、まとめ先設定欄１０３に対する、まとめ先タブ画面の設定入力を受け付ける。具体的に、例えばまとめ元タブ画面の設定方法と同様に、設定したいタブをまとめ先設定欄１０３へドラッグすることによって設定できてもよい。或いは、第１設定欄１０１又は第２設定欄１０２をまとめ先設定欄１０３へドラッグすることによって、ドラッグ元の設定欄に設定されているまとめ元タブ画面をまとめ先タブ画面として設定できてもよい。図８（ｂ）は、一例として、タブ名が「新規１」のタブ画面がまとめ先タブ画面に設定されている例を示している。
【００９５】
Ｓ２１０では、まとめ先設定画面１００においてまとめ実行ボタン１０５がタップされたか否か判断する。まとめ実行ボタン１０５がタップされるまでは、Ｓ２１０の判断を繰り返し、その間、まとめ先タブ画面の設定入力を受け付ける。まとめ実行ボタン１０５がタップされた場合は、Ｓ２２０に進む。
【００９６】
Ｓ２２０では、設定されたまとめ先タブ画面の第１領域に、まとめ元タブ画面１の個別領域４２内のアイコンを配置する。
Ｓ２３０では、設定されたまとめ先タブ画面の第２領域に、まとめ元タブ画面２の個別領域４２内のアイコンを配置する。
【００９７】
まとめ先タブ画面において、第１領域及び第２領域は適宜決めて良い。本実施形態では、第１領域は、タブ画面における、共通領域４１が設定される領域に相当する上半分の領域であり、第２領域は、タブ画面における、個別領域４２が設定される領域に相当する下半分の領域である。
【００９８】
また、本実施形態では、まとめ先タブ画面の第１領域には、まとめ元タブ画面１の個別領域４２における４つのアイコンが、配列状態を維持したまま配置される。まとめ先タブ画面の第２領域についても、まとめ元タブ画面２の個別領域４２における４つのアイコンが、配列状態を維持したまま配置される。
【００９９】
Ｓ２４０では、２つのまとめ元タブ画面１，２のそれぞれに対し、共通領域４１の設定を無効にする。
Ｓ２５０では、第２問合せ画面１１０を表示させる。図８（ｃ）に、第２問合せ画面１１０の一例を示す。第２問合せ画面１１０は、２つのまとめ元タブ画面１，２のうち、まとめ先タブ画面に設定されていないまとめ元タブ画面について、登録されているアイコンをどのようにするかをユーザに問う画面である。
【０１００】
図８（ｃ）に示す第２問合せ画面１１０には、全削除ボタン１１１と、全存続ボタン１１２と、一部存続ボタン１１３と、共通全削除ボタン１１４と、個別全削除ボタン１１５とが表示される。
【０１０１】
Ｓ２６０では、第２問合せ画面１１０に表示されている各ボタン１１１〜１１５のうちいずれかがタップされたか否か判断し、いずれかのボタンがタップされた場合はＳ２７０に進む。
【０１０２】
Ｓ２７０では、タップされたボタンに基づき、２つのまとめ元タブ画面１，２のうちまとめ先タブ画面に設定されていないまとめ元タブ画面における登録アイコンの処理方法を取得する。
【０１０３】
Ｓ２８０では、まとめ先タブ画面がまとめ元タブ画面１であるか否か判断する。まとめ先タブがまとめ元タブ画面１である場合は、Ｓ２９０に進む。Ｓ２９０では、まとめ元タブ画面２内の各登録アイコンを、Ｓ２７０で取得した処理方法、即ちタップされたボタンに対応した処理方法に従って処理する。
【０１０４】
例えば、全削除ボタン１１１がタップされた場合は、まとめ元タブ画面２内の全てのアイコンを削除し、全てのアイコンを未登録アイコンにする。また、全存続ボタン１１２がタップされた場合は、まとめ元タブ画面２内の全てのアイコンをそのまま存続させる。また、一部存続ボタン１１３がタップされた場合は、ユーザに対して存続させたいアイコンを選択させ、その選択されたアイコンを存続させて他のアイコンは削除する。また、共通全削除ボタン１１４がタップされた場合は、共通領域４１に配置されていたアイコンを削除して、個別領域４２に配置されていたアイコンは存続させる。また、個別全削除ボタン１１５がタップされた場合は、個別領域４２に配置されていたアイコンを削除して、共通領域４１に配置されていたアイコンは存続させる。Ｓ２９０の処理後は、Ｓ１１０に移行する。
【０１０５】
Ｓ２８０で、まとめ先タブがまとめ元タブ画面１ではない場合は、Ｓ３００に進む。Ｓ３００では、まとめ元タブ画面１内の各登録アイコンを、Ｓ２７０で取得した処理方法に従って処理する。具体的には、Ｓ２９０と同じ要領で処理する。
【０１０６】
Ｓ３１０では、まとめ先タブ画面がまとめ元タブ画面２であるか否か判断する。まとめ先タブがまとめ元タブ画面２ではない場合は、Ｓ２９０に進む。まとめ先タブがまとめ元タブ画面２である場合は、Ｓ１１０に移行する。
【０１０７】
図８（ｂ）までの画面遷移の後に、第２問合せ画面１００において例えば全削除ボタン１１１がタップされた場合、例えば「ユーザ１」のタブの第１タブ画面５０は、図９（ａ）の上側に例示するように、全てのアイコンが未登録アイコンとなる。この状態で、例えば「新規１」のタブに切り替えると、対応するタブ画面１２０に切り替わる。
【０１０８】
ここで、「新規１」のタブ画面１２０はまとめ先タブ画面に設定されたため、このタブ画面１２０には、２つのまとめ元タブ画面１，２における各個別領域４２に配置されていたアイコンがまとめて配置される。具体的に、まとめ元タブ画面１の個別領域４２に配置されていたアイコンは、「新規１」のタブ画面１２０における上半分の第１領域に配置され、まとめ元タブ画面２の個別領域４２に配置されていたアイコンは、「新規１」のタブ画面１２０における下半分の第２領域に配置される。
【０１０９】
また、図８（ｂ）までの画面遷移の後に、第２問合せ画面１００において例えば個別全削除ボタン１１５がタップされた場合、例えば「ユーザ１」のタブの第１タブ画面５０は、図９（ｂ）に例示するように、元の個別領域４２に配置されていた４つのアイコンが未登録アイコンとなり、元の共通領域４１に配置されていた４つのアイコンはそのまま維持される。
【０１１０】
（７）実施形態の効果
以上説明した実施形態によれば、以下の（ａ）〜（ｅ）の効果を奏する。
（ａ）本実施形態の画像処理装置１０は、個別アイコンまとめ機能を備えているため、２つの共通タブ画面のそれぞれにおける個別領域４２内のアイコンを、簡単な操作で、同じ１つのタブ画面にまとめて配置させることができる。そのため、複数のタブ画面にそれぞれ配置されている複数のアイコンの配置状態を効率的にカスタマイズすることができる。
【０１１１】
（ｂ）ユーザは、共通領域４１が設定されているタブ画面の中から２つのまとめ元タブ画面を任意に選ぶことができる。ユーザによるカスタマイズの自由度が高まる。
なお、まとめ先タブ画面として選択できるタブ画面の自由度をより広げてもよい。例えば、未登録アイコンの数にかかわらず、全てのタブ画面を、まとめ先タブ画面の選択対象にしてもよい。そのようにすることで、カスタマイズの自由度をより高めることができる。
【０１１２】
（ｃ）ユーザは、まとめ元設定画面９５を介して、２つのまとめ元タブ画面における各個別領域４２のアイコンがまとめ先においてどの位置に配置されるかを容易に認識できる。また、配置入替ボタン９８によって、まとめ先における配置位置を入れ替えることもできる。また、既に選択されたタブ画面を別のタブ画面に変更することもできる。つまり、まとめ元設定画面９５によって、２つのまとめ元タブ画面１，２をユーザが容易且つ効率的に設定可能なユーザインタフェースが提供される。
【０１１３】
まとめ先タブ画面についても、ユーザは、まとめ先設定画面１００を介して容易且つ効率的に設定することができる。
（ｄ）まとめ先タブ画面においては、まとめ元タブ画面１，２におけるアイコンの配置状態がそのまま維持されて配置される。そのため、ユーザは、２つのタブ画面のアイコンをまとめた後も、まとめ先タブ画面においてアイコンを効率的に選択することができる。
【０１１４】
（ｅ）ユーザは、２つのまとめ元タブ画面１，２のうち、まとめ先タブ画面に選択されなかったまとめ元タブ画面について、アイコンをどのように処理するかを選択できる。そのため、まとめ元タブ画面についても、ユーザの使用状況に応じた適切な状態に維持させることができる。
【０１１５】
なお、本実施形態において、Ｓ１１０の処理は本発明のタブ画面表示処理の一例に相当する。Ｓ１２０，Ｓ１３０，Ｓ２４０，Ｓ３２０，Ｓ３３０の処理は本発明の共通領域設定処理の一例に相当する。Ｓ１４０，Ｓ１５０の処理は本発明の要否選択処理の一例に相当する。Ｓ１８０の処理は本発明の他タブ選択処理及び配置位置指定処理の一例に相当する。Ｓ２００，Ｓ２１０の処理は本発明のまとめ先選択処理の一例に相当する。Ｓ２２０，Ｓ２３０の処理は本発明のまとめ配置処理の一例に相当する。Ｓ２５０，Ｓ２６０の処理は本発明の解除指定処理の一例に相当する。ＳＳ２９０，Ｓ３００の処理は本発明のアイコン削除処理の一例に相当する。
【０１１６】
［他の実施形態］
以上、本発明の実施形態について説明したが、本発明は上述の実施形態に限定されることなく、種々変形して実施することができる。
【０１１７】
（１）上記実施形態では、２つのまとめ元タブ画面１、２の双方が、Ｓ２４０の処理によって共通領域設定が無効にされるように構成されていたが、まとめ先タブ画面に設定されていなければ、必ずしも共通領域設定を無効にしなくてもよい。
【０１１８】
例えば、まとめ元タブ画面２については、共通領域設定を有効のまま維持させてもよい。あるいは、共通領域設定を維持させるかどうかをユーザに問い合わせ、ユーザの意思に応じて処理してもよい。
【０１１９】
（２）まとめ元タブ画面の選択方法は、図７（ｂ）に示したまとめ元設定画面９５に基づく選択方法に限定されない。まとめ先タブ画面の選択方法についても、図８（ｂ）に示したまとめ先設定画面１００に基づく選択方法に限定されない。例えば、設定欄をタップするとタブ画面の選択肢が表示され、その中から選択できるようにしてもよい。
【０１２０】
（３）共通タブ画面において、共通領域及び個別領域はそれぞれどのように設定されていてもよい。例えば、上下分割ではなく左右分割にし、左右それぞれの半分の領域のうち一方を共通領域に設定し、他方を個別領域に設定してもよい。共通領域及び個別領域それぞれのアイコンの数も適宜決めてよい。
【０１２１】
（４）まとめ先タブ画面における、第１領域及び第２領域についても、上記実施形態のような上下分割に限定されず、適宜決めて良い。
（５）上記実施形態では、共通領域の有効、無効の設定を管理者モードで行うように構成されていたが、管理者モード以外のモードであっても共通領域の有効、無効を設定できるようにしてもよい。
【０１２２】
（６）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本発明の実施形態である。
【符号の説明】
【０１２３】
１０…画像処理装置、１１…制御部、１２…記憶部、１３…表示部、１４…入力部、１４ａ…タッチパネル、２５…待機画面、２６…左ボタン、２７…右ボタン、２８…管理者ボタン、３１〜３８…タブ、４１…共通領域、４２…個別領域、５０…第１タブ画面、５１〜５８，６１〜６８，７１〜７８…アイコン、６０…第２タブ画面、７０…第４タブ画面、８０…待機編集画面、８４…共通領域設定オフボタン、８５…共通領域設定オンボタン、９０…第１問合せ画面、９５…まとめ元設定画面、９６，１０１…第１設定欄、９７，１０２…第２設定欄、９８…配置入替ボタン、９９…ＯＫボタン、１００…まとめ先設定画面、１０３…まとめ先設定欄、１０５…まとめ実行ボタン、１１０…第２問合せ画面、１１１…全削除ボタン、１１２…全存続ボタン、１１３…一部存続ボタン、１１４…共通全削除ボタン、１１５…個別全削除ボタン、１２０…タブ画面。
【図１】
2019067108.tif 000003
【図２】
2019067108.tif 000004
【図３】
2019067108.tif 000005
【図４】
2019067108.tif 000006
【図５】
2019067108.tif 000007
【図６】
2019067108.tif 000008
【図７】
2019067108.tif 000009
【図８】
2019067108.tif 000010
【図９】
2019067108.tif 000011